【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
ガスタービンとガスタービンを経た廃熱を他の流体に熱エネルギーを移す廃熱回収熱交換器及びその熱エネルギーで動力を発生する蒸気タービンからなるコンバインドサイクルシステムの夏期全負荷時における吸気冷却方法において、
ガスタービン吸気を吸気冷却する前にフィルターを通し、
廃熱回収熱交換器から吸収冷却サブシステムに蒸気を出力し、
この吸収冷却サブシステムでは、この蒸気の熱エネルギーで冷媒を蒸発し、この蒸発した冷媒の少なくとも一部が凝縮する際の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、
気温が高い夏期全負荷時において、ガスタービン吸気を冷却しない場合の同温度・同流量吸気条件で比較して、蒸気タービンの高圧側では蒸気流量を同等とし、一方低圧側では同じ蒸気タービンを使用して蒸気流量を少なくし、
フィルターにより吸気のダスト（塵）が減少した状態で、前記の冷却で発生したミスト（霧）をガスタービンに供給することを特徴とするコンバインドサイクルシステムの夏期全負荷時における吸気冷却方法。
【請求項２】
ガスタービンとガスタービンを経た廃熱を他の流体に熱エネルギーを移す廃熱回収熱交換器及びその熱エネルギーで動力を発生する蒸気タービンからなるコンバインドサイクルシステムの夏期全負荷時における吸気冷却方法において、
ガスタービン吸気を吸気冷却する前にフィルターを通し、
高圧側蒸気タービンを通過した蒸気を取り出して吸収冷却サブシステムに蒸気を出力し、この吸収冷却サブシステムでは、この蒸気の熱エネルギーで冷媒を蒸発し、この蒸発した冷媒の少なくとも一部が凝縮する除の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、
気温が高い夏期全負荷時において、ガスタービン吸気を冷却しない場合の同温度・同流量吸気条件で比較して、蒸気タービンの高圧側では蒸気流量を同等とし、一方低圧側では同じ蒸気タービンを使用して蒸気流量を少なくし、
フィルターにより吸気のダスト（塵）が減少した状態で、前記の冷却で発生したミスト（霧）をガスタービンに供給することを特徴とするコンバインドサイクルシステムの夏期全負荷時における吸気冷却方法。
【請求項３】
ガスタービンとガスタービンを経た廃熱を他の流体に熱エネルギーを移す廃熱回収熱交換器及びその熱エネルギーで動力を発生する蒸気タービンからなるコンバインドサイクルシステムにおいて、
ガスタービン吸気を吸気冷却する前にフィルターを通し、
廃熱回収熱交換器から及び又はこの蒸気タービンから蒸気を取り出して吸収冷却サブシステムに蒸気を出力し、
この吸収冷却サブシステムでは、この蒸気の熱エネルギーで冷媒を蒸発し、この蒸発した冷媒の少なくとも一部が凝縮する際の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、
この冷却ではミストが発生するが、デミスターのミスト収集能力を低下させ、
フィルターにより吸気のダスト（塵）が減少した状態で、上記の冷却で発生したミスト（霧）をガスタービンに供給することを特徴とするコンバインドサイクルシステム。
【手続補正２】
【補正対象書類名】明細書
【補正対象項目名】００１１
【補正方法】変更
【補正の内容】
【００１１】
請求項１は、ガスタービンとガスタービンを経た廃熱を他の流体に熱エネルギーを移す廃熱回収熱交換器及びその熱エネルギーで動力を発生する蒸気タービンからなるコンバインドサイクルシステムの夏期全負荷時における吸気冷却方法において、ガスタービン吸気を吸気冷却する前にフィルターを通し、廃熱回収熱交換器から吸収冷却サブシステムに蒸気を出力し、この吸収冷却サブシステムでは、この蒸気の熱エネルギーで冷媒を蒸発し、この蒸発した冷媒の少なくとも一部が凝縮する際の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、気温が高い夏期全負荷時において、ガスタービン吸気を冷却しない場合の同温度・同流量吸気条件で比較して、蒸気タービンの高圧側では蒸気流量を同等とし、一方低圧側では同じ蒸気タービンを使用して蒸気流量を少なくし、フィルターにより吸気のダスト（塵）が減少した状態で、前記の冷却で発生したミスト（霧）をガスタービンに供給することを特徴とするコンバインドサイクルシステムの夏期全負荷時における吸気冷却方法からなる。


【手続補正３】
【補正対象書類名】明細書
【補正対象項目名】００１２
【補正方法】変更
【補正の内容】
【００１２】
この吸収冷却サブシステムの冷媒を加熱するエネルギーを、廃熱回収熱交換器から低圧側蒸気タービンへの蒸気出力からとすることで、吸気を大幅に冷却する熱エネルギーを得ることが容易である。しかも蒸気で冷媒を単に蒸発するだけでは多量の蒸気を必要とするが、この請求項では蒸発した冷媒の少なくとも一部が凝縮する際の凝縮熱エネルギーでさらに冷媒を蒸発させることで蒸気消費量を少なくするのでロス（発電出力の減少）が少ない。さらに、蒸気を低圧側から取り出すことでロスをさらに少なくする。


【手続補正４】
【補正対象書類名】明細書
【補正対象項目名】００１５
【補正方法】変更
【補正の内容】
【００１５】
また、低圧側蒸気タービンをそのまま使用するのでコスト的に有利である。さらにコスト的に言えば、廃熱回収熱交換器から蒸気を取り出すことで追加コストは少ない。そしてガスタービンや蒸気タービンを改造する必要は殆ど無いことで有利である。


【手続補正５】
【補正対象書類名】明細書
【補正対象項目名】００２０
【補正方法】変更
【補正の内容】
【００２０】
そして、吸収冷却サブシステムへ出力する蒸気の発生設備を、蒸気タービンに蒸気を送る蒸気発生設備と共用するので、システムが簡単になり、吸収冷却サブサイクルの建設コストを低くできる。また、前記と同じ理由から既存の設備への取り付けのコストも低くできる。


【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
請求項２は、ガスタービンとガスタービンを経た廃熱を他の流体に熱エネルギーを移す廃熱回収熱交換器及びその熱エネルギーで動力を発生する蒸気タービンからなるコンバインドサイクルシステムの夏期全負荷時における吸気冷却方法において、ガスタービン吸気を吸気冷却する前にフィルターを通し、高圧側蒸気タービンを通過した蒸気を取り出して吸収冷却サブシステムに蒸気を出力し、この吸収冷却サブシステムでは、この蒸気の熱エネルギーで冷媒を蒸発し、この蒸発した冷媒の少なくとも一部が凝縮する際の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、気温が高い夏期全負荷時において、ガスタービン吸気を冷却しない場合の同温度・同流量吸気条件で比較して、蒸気タービンの高圧側では蒸気流量を同等とし、一方低圧側では同じ蒸気タービンを使用して蒸気流量を少なくし、フィルターにより吸気のダスト（塵）が減少した状態で、前記の冷却で発生したミスト（霧）をガスタービンに供給することを特徴とするコンバインドサイクルシステムの夏期全負荷時における吸気冷却方法からなる。


【手続補正８】
【補正対象書類名】明細書
【補正対象項目名】００２４
【補正方法】変更
【補正の内容】
【００２４】
請求項３では、ガスタービンとガスタービンを経た廃熱を他の流体に熱エネルギーを移す廃熱回収熱交換器及びその熱エネルギーで動力を発生する蒸気タービンからなるコンバインドサイクルシステムにおいて、ガスタービン吸気を吸気冷却する前にフィルターを通し、廃熱回収熱交換器から及び又はこの蒸気タービンから蒸気を取り出して吸収冷却サブシステムに蒸気を出力し、この吸収冷却サブシステムでは、この蒸気の熱エネルギーで冷媒を蒸発し、この蒸発した冷媒の少なくとも一部が凝縮する際の凝縮熱エネルギーでさらに冷媒を蒸発し、そして蒸発した冷媒を冷却することで凝縮し、これらの凝縮した冷媒を減圧下で蒸発させてその蒸発熱エネルギーによりガスタービンに入る吸気を冷却し、この冷却ではミストが発生するが、デミスターのミスト収集能力を低下させ、フィルターにより吸気のダスト（塵）が減少した状態で、上記の冷却で発生したミスト（霧）をガスタービンに供給することを特徴とするコンバインドサイクルシステムからなる。


【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００３０
【補正方法】変更
【補正の内容】
【００３０】
本発明では、吸収冷却サブシステムの冷媒の種類は特に問わない。冷媒としてアンモニア、吸収剤として水の組み合わせ、あるいは冷媒として水、吸収剤として臭化リチウムの組み合わせなどを使用できる。


【手続補正１２】
【補正対象書類名】明細書
【補正対象項目名】００３１
【補正方法】変更
【補正の内容】
【００３１】
【発明の実施の形態】
図１は本発明の実施の形態である。ガスタービン１から出た廃ガスの熱エネルギーを用いて廃熱回収熱交換器３で水を加熱して蒸気とし、この蒸気の一部を低圧側から出力して吸収冷却サブシステムの冷媒と吸収剤の混合物を加熱して冷媒を蒸留し、そしてその蒸発による熱エネルギーの吸収でガスタービン１の吸気を冷却する。この例では冷媒はアンモニア、そして吸収剤は水であるが、他の冷媒・吸収剤の組み合わせももちろん使用できる。ここで吸収冷却サブシステムとは、吸収冷却（冷凍）サイクル機能を有する機器の集合体で、図面での番号では７，１１，１２，１３，１４，１５，１６，１７，１９，２０からなる。


【手続補正１３】
【補正対象書類名】明細書
【補正対象項目名】００３６
【補正方法】変更
【補正の内容】
【００３６】
図２は本発明の実施の形態である。図１の実施の形態との相違は、１）吸収冷却サブシステムで加熱に供する蒸気をタービン２２〜タービン２３間のつなぎ経路から出力すること、２）吸収冷却サブシステムで加熱に供して凝縮した水をポンプ２７で循環すること、３）低温側分離器から出た高濃度アンモニア蒸気の経路を単純化したことである。ここで吸収冷却サブシステムとは、吸収冷却サイクル機能を有する機器の集合体で、図面での番号では２８，３０，３１，３２，３３，３４，３５，３６，３８，３９からなる。なお、蒸気低圧側蒸気タービンの蒸気減少量は１０分の１である。


【手続補正１４】
【補正対象書類名】明細書
【補正対象項目名】００３８
【補正方法】変更
【補正の内容】
【００３８】
図４は本発明の実施の形態に使用できる吸収冷却サブシステムであり、従来からの存在する蒸気加熱二重効用吸収冷却機が基本である。この吸収冷却サブシステムでは、冷媒に水を、吸収剤に臭化リチウムを用いている。


【手続補正１５】
【補正対象書類名】明細書
【補正対象項目名】００３９
【補正方法】変更
【補正の内容】
【００３９】
なお、本発明における吸収冷却サブシステムは、上記の技術の他に、吸気を冷却できる吸収冷却サイクルを有するプロセスであれば従来からある技術あるいは新規な技術を用いることはもちろんできる。


【手続補正１６】
【補正対象書類名】明細書
【補正対象項目名】００４０
【補正方法】変更
【補正の内容】
【００４０】
図６は本発明の実施の形態である。図１の実施の形態との主な相違は、１）吸気を冷却して蒸発したアンモニア蒸気を低濃度アンモニア溶液に吸収させて発熱させて加熱エネルギーに利用するプロセスが組み込まれていること、２）吸収冷却サブシステムで加熱に供して凝縮した水をポンプ１０７で循環することである。この図６での吸収冷却サブシステムを抜き出したものが図７である。


【手続補正１７】
【補正対象書類名】明細書
【補正対象項目名】００５８
【補正方法】変更
【補正の内容】
【００５８】
【発明の効果】
本出願によれば、１）コンバインドサイクルシステムにおける夏期の出力を大幅向上する。そして発電出力ロスは少なく済む。そして設備コストを低くできる。また２）吸気を冷却する際に発生するミストをガスタービンに供給することで、ガスタービンでのコンプレッサー内の空気の温度上昇をより押さえる（発電出力増加に直結する）ことができる。


【手続補正１８】
【補正対象書類名】明細書
【補正対象項目名】図面の簡単な説明
【補正方法】変更
【補正の内容】
【図面の簡単な説明】
【図１】本発明の実施の形態である。
【図２】本発明の実施の形態である。
【図３】蒸気タービン部の参考例である。
【図４】吸収冷却サブシステムの例である。
【図５】蒸気取り出しの参考例である。
【図６】本発明の形態である。
【図７】吸気冷却サブシステムの例である。
【図８】吸気冷却サブシステムの例である。
【図９】本発明の実施の形態である。
【図１０】つなぎ経路を説明する図である。
【符号の説明】
１，２１，１０１  ガスタービン
２，２２，２３，４１〜４４，８１〜８４，１０２  蒸気タービン
３，２４，４５，８５，１０３  廃熱回収熱交換器
４〜７，２５〜２８，４６〜４８，６６，６７，８６〜８８，１０４〜１０８，１３１，１３２，１６１，１６２  ポンプ
８〜１２，２９〜３１，４９，５０，７１〜７４，８９〜９１，１０９〜１１３，１３３〜１３５，１６３〜１７２  調整弁
１３〜１５，３２〜３４，６８〜７０，１１４〜１１７，１３６〜１３９，１７３〜１７５  熱交換器
１６，１７，３５，３６，１１８〜１２０，１４０〜１４３  分離器
１８〜２０，３７〜３９，５１，６３，９２，１２１〜１２３，１４４，１４５，１７６  凝縮器
６１  第１発生器
６２  第２発生器
６４  蒸発器
６５  吸収器（凝縮器）
１６０  吸収冷却サブシステム
１７７，１７８  タンク
１７９，１８０  デミスター
１８１，１８２  高圧（中圧）蒸気タービン
１８３，１８４  低圧蒸気タービン
１８５，１８６  つなぎ経路